(57)【要約】      （修正有）【課題】家庭婦人達が安易、安価に押入れ等の中に棚を造り、物品をかたずけ整理出来るようにした金具を提供する。【解決手段】Ｌ型の金属板を適当な寸法に組み合わせて両端、又は中間に置きその上にベニヤ板等の板を置くだけで、高さを自在にした整理棚が構成される。両端コの字型の金具を組み立てておき、ベニヤ板等の接する面に両面接着テープ等を張り組み立てる事により安定した棚が出来る。【選択図】図２
0003149005.tif 000002
【実用新案登録請求の範囲】
特許請求の範囲
請求項１  Ｌ型に加工した板お、組み合わせてコの字型の金具お２個乃至３個お使って、非常に安価にして誰もが整理だな、お作れる様にしたもの。
【考案の詳細な説明】
【技術分野】    ０００１  本発明わ従来職人等によりｓ  整理だな、が作られて北の尾、家庭婦人達が安易、安価に押入れ等の中に棚お造り、物品お、かたずけ整理出来るようにした金具である。
０００２  従来整理だなわ家具店等で購入するか多少技術おもった人が工作されて作られていたが、本品お使用することにより婦人でも子供でも簡単に整理だなお作ることが出来、家のなかの物品取り出しやすく整理できる。
発明。解決しようとする課題。
０００３  しかしながら従前でわ、婦人、子供でわ整理に際して安価に、簡単に作るが出来なかった。
０００４  この為本発明でわ１００円、２００円とゆう極めて安価二、そして誰でも出来る事お目的としている。
０００５  図１で示すように本発明わＬ型の金属板お組合わして適当な寸法に組み合わせて両端、又わ中間に置きその上にベニヤ板等の板置くだけで、高さお自在にした整理だなが構成される。
発明の効果
０００６  本発明わ以上の構成お取る事によって、金属板２枚できわめて安価に誰でも自由、自在の高さお持った整理だなお作るとゆう効果お有する
０００７  発明お実施するための最良の形態
ベニヤ板等の両端コの字型の金具お組み立てておき、ベニヤ板等の接する面に両面接着テープ等お張りくみたてる事により安定した棚が出来る。
実施例１
０００８  本発明の実施例お図１、図２，お参照して説明する。
０００９  金具お必要な高さに合わせ、同じ寸法に組み立て両端に置き。その上に板お置く。板が薄くて弱い時にわ、中間ａ点に置いて補強する事ができる。
００１０  本発明わ製品の販売において、金具だけでも、又ベニヤ板等と組み合わせて販売する事ができる。
【図１】
0003149005.tif 000003
【図２】
0003149005.tif 000004
【手続補正書】
【提出日】平成20年7月16日(2008.7.16)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型に加工した板を組み合わせて、コの字型に形成し、棚板の両側に置いて、整理棚を形成しようとする為の金具である。Ｌ字型金具の長手にわ４〜６ケ所の孔を明けビス等によってコ野路型が形成できる様にしてある。幅わ」１０〜３０ｃｍ。長さを１７〜３０ｃｍ位にして長手方向に伸縮さして１０〜５４ｃｍ位に伸縮できる様にしてある。
【手続補正２】
【補正対象書類名】明細書
【補正対象項目名】全文
【補正方法】変更
【補正の内容】
【考案の詳細な説明】
【技術分野】
【０００１】  本発明わ従来職人等により整理棚が作られて来たのを、家庭婦人達が安易、安価に押入れ等の中に棚お造り物品を整理，かたずけが、出来る様にした金具である。【０００２】  従来整理棚わ家具店等で購入するか多少技術を持った人が工作されて造られていたが、本品を使用することにより婦人達でも子供でも簡単に整理棚を作ることが出来、家の中の物品を取り出し整理出来る。
【発明。解決しようとする課題】
【０００３】  然しながら今までわ、婦人、子供でわ整理に際して安価二、簡単に作る事が出来なかった。
【０００４】  この為本発明でわ１００円〜２００円とゆう安価で誰でも出来る事を目的としている。
【０００５】  図１で示すように本発明わＬ型の金属板を適当に組み合わせて、両端、又わ中間に置きその上にベニヤ板等の板を置くだけで、高さ自由にした整理棚が構成される。
【発明の効果】
【０００６】  本発明わ以上の構成お取る事によって、金属板２枚できわめて安価に誰でも自由、自在の高さをもった整理棚お作るという効果を有する
【考案を実施するための最良の形態】
【０００７】  ベニヤ板等の両端をコの字型の金具で組み立てて置き、ベニヤ板等の接する面に両面接着テープなどを張り組み立てる事により安定した棚ができる。【０００８】  本発明の実施例を図１、図２、を参照して説明する。【０００９】  金具を必要な高さにあわせて、同じ寸法に組み立て、両端に置き板が薄くて弱い時にわ４点に金具を置いて補強する。【００１０】  又金具をＡの様に置き封書、書類等を整理する事が出来る。【００１１】  又金具をＢの様に置き封書、書類を整理する事ができる。【００１２】  ［図１］わ金具本体の図である。１わ高さ調整用ビス孔である。２わ補強用の溝である。【００１３】  ［図２］わ簡易棚組み立て図である。１わ棚板２わＬ型金具を組み合わせたもの３わ高さ調整用のビスであり、４わ棚板が弱い時に補強した場合いである。
【手続補正３】
【補正対象書類名】図面
【補正対象項目名】全図
【補正方法】変更
【補正の内容】
【図１】
0003149005.tif 000005
【図２】
0003149005.tif 000006
【手続補正書】
【提出日】平成20年9月29日(2008.9.29)
【手続補正１】
【補正対象書類名】実用新案登録請求の範囲
【補正対象項目名】全文
【補正方法】変更
【補正の内容】
【実用新案登録請求の範囲】
１枚の板の片端の１−３ｃｍを９０度に折り曲げてＬ字型を形成し、長手方向に２列に適当な間隔を置いて小孔を明けおなじＬ字型の板を組み合わせて、小孔に小螺子をいれて締め付けコの字型を形成できるようにしたもの。
【手続補正２】
【補正対象書類名】明細書
【補正対象項目名】全文
【補正方法】変更
【補正の内容】
【考案の詳細な説明】
【技術分野】
【０００１】  本考案は従来職人等により整理棚が作られてきたのを、型を家庭婦人達が安易、安価に押入れ等の中に棚を作り、物品を整理、かたずけができるようにした金具である。【０００２】  従来整理棚は家具店などで購入するか多少技術をもったひとが工作されて作られていたが、本品を使用することにより婦人でも子供でも、簡単に整理棚を作ることができ、家の中の物品を取り出し整理できる。
【考案。解決しようとする課題】
【０００３】  しかしながら今までは、婦人、子供では整理に際して安価に、簡単に作ることができなかった。
【０００４】  此の為本考案では１００円ー２００円という安価で誰でも出来ることお目的としている。
【０００５】  図１で示すように本考案はＬ型の金属板を適当に組み合わせて、両端、または中間におきその上にベニヤ板などの板を置くだけで、高さ自由にした整理棚が構成される。
【考案の効果】
【０００６】  本考案は以上の構成をとることによって、金属板２枚出極めて安価に誰でも自由、自在の高さ思った整理棚を作るという効果を有する。
【考案を実施するやめの最良の形態】
【０００７】  ベニヤ板などの両端をコの字型の金具で組み立てておき、ベニヤ板などの接する面に両面接着テープを張り組み立てることによって安定した棚ができる。
【０００８】  本考案の実施例を図１、図２、を参照して説明する。
【０００９】  金具を必要な高さに合わせて、同じ寸法に組み立て、両端に置き板が薄くて弱いときには４点に金具を置いて補強する
【００１０】  また金具をＡの様に置き封書、書類などを整理することができる。
【００１１】  また金具をＢの様に置き、封書、書類を整理することができる。
【００１２】  図１は金具本体の図である、１は高さ調節用ビス孔である。
【００１３】  図２は簡易棚組み立て図である。１は棚板，２はＬ型金具を組み合わせたもの、３は高さ調節用のビスであり、４は棚板が弱いとき補強したばあいである。
【図面の簡単な説明】
【００１４】
【図１】  金具本体の図
【図２】  簡易棚組み立て図
【手続補正書】
【提出日】平成20年12月3日(2008.12.3)
【手続補正１】
【補正対象書類名】実用新案登録請求の範囲
【補正対象項目名】全文
【補正方法】変更
【補正の内容】
【実用新案登録請求の範囲】
【請求項１】
１枚の板のかたはしの１−３ｃｍを９０度に折り曲げてＬ字型の板を形成し、長手方向に２列にてきとうな間隔をおいて小孔をあけ、同じＬ型の板を組み合わせて、小孔に小螺子入れて締め付けコの字型をけいせいできるようにした簡易自在棚金具。
【手続補正２】
【補正対象書類名】明細書
【補正対象項目名】全文
【補正方法】変更
【補正の内容】
【考案の詳細な説明】
【技術分野】
【０００１】本考案は従来職人等により整理棚がつくられてきたが、家庭婦人達が安易、安価に、押し入れ等の中に棚をつくり、物品を整理、かたずけができるようにした金具である【０００２】従来整理棚は家具店などでこうにゅうするか、多少技術もったひとが、工作されてつくられていたが、本品を使用することにより婦人でも子供でもかんたんに整理棚をつくることができ家の中の物品を取り出し整理することができる。
【考案。解決しようとする課題】
【００３】しかしながら今までは、婦人、子どもではせいりにさいして安価に簡単に作ることができなかった。
【００４】このため本考案でわ１００円−２００円という安価で誰できることお目的ちしている。
【０００５】図１で示すように本考案はＬ型金属板を適当に組み合わせて、両端、又わ中間に置きそのうえにベニヤ板などを置くだけで、高さ自由にした整理棚が構成される。
【考案の効果】
【０００６】本考案は以上の構成をとることによって、金属板２枚で極めて安価にたれでも自由、自在の高さをもった整理棚を作るという効果お有する。
【公安をじっしするための最良の形態】
【０００７】ベニヤ板などの両端をコの字型の金具出くみたてて置き、ベニヤ板等の接する面に両面接着テープをはり、組み立てることによって安定した棚ができる。
【０００８】本考案の実施例を図１、図２、参照して説明する。
【０００９】金具を必要な高さに合わせて、同じ寸法に組み立て、両端に置き、いたが薄くて弱いときにわ４点に金具を置いて補強する。
【００１０】また金具をＡの様に置き封書、書類などを整理することができる。
【００１１】またＢの様に置き封書、書類などを整理することができる。
【００１２】図１は金具本体の図である、１は高さ調節用ビス孔である。
【００１３】図２は簡易棚組み立て図である。１は棚板、２はＬ型金具を組み合わせたもの、３は高さ調節のビスであり、４は棚板が弱いとき補強した場合いである。
【図面の簡単な説明】
【００１４】  図Ｉ  金具本体の図
図２  簡易棚組み立て図